(57)【特許請求の範囲】
【請求項１】
接続端子が設けられたケーブルの端部を収容する収容部を有するコネクタであって、
前記ケーブルの端部は、前記収容部内に充填して固化させた弾性を有する保持材によって保持され、
前記収容部を形成する壁部には、前記ケーブルの引き出し側の縁部に、前記ケーブル側へ向かって断面視円弧状に突出したケーブル保護突起が形成されていることを特徴とするコネクタ。
【請求項２】
前記収容部から引き出された前記ケーブルが湾曲されて配線され、前記ケーブル保護突起は、少なくとも前記収容部の壁部における前記ケーブルの湾曲側に設けられていることを特徴とする請求項１に記載のコネクタ。
【発明の詳細な説明】
【技術分野】
【０００１】
本発明は、ワイヤーハーネスなどのケーブルが接続されるコネクタに関する。
【背景技術】
【０００２】
従来より、接続端子が設けられたケーブルの端部を収容するコネクタには、ハウジングにおけるケーブルの端部を収容する収容部に充填剤を充填したりあるいはシール材などを設けることにより、収容部内を防水することが行われている（例えば、特許文献１〜６参照）。
【先行技術文献】
【特許文献】
【０００３】
【特許文献１】特開平７−２５４４５５号公報
【特許文献２】特開平７−２９６８８３号公報
【特許文献３】特開平８−１２４６２３号公報
【特許文献４】特開平１１−２８３６９５号公報
【特許文献５】実開平５−９１９９７号公報
【特許文献６】実開平５−９２９７５号公報
【発明の概要】
【発明が解決しようとする課題】
【０００４】
ところで、ケーブルは、コネクタのハウジングの収容部から引き出された構造を有している。このため、収容部から引き出されたケーブルが、収容部を形成する壁部の縁部に接触して損傷するおそれがあった。特に、収容部内の充填剤やシール材が劣化してケーブルの保持が不十分となると、ケーブルが動きやすくなり、収容部の壁部の縁部へ接触するおそれが大きくなる。また、充填剤が固化するまでの間にケーブルが動き、収容部の壁部の縁部へ接触してしまうおそれもあった。
【０００５】
また、コネクタが車両などに搭載された場合、コネクタの収容部から引き出されたケーブルが振動して動くため、壁部の縁部へのケーブルの接触による損傷が顕著にあらわれてしまう。
【０００６】
本発明は、上述した事情に鑑みてなされたものであり、その目的は、ケーブルの損傷を防止しつつケーブルの端部を保持して防水することが可能なコネクタを提供することにある。
【課題を解決するための手段】
【０００７】
前述した目的を達成するために、本発明に係るコネクタは、下記（１）または（２）を特徴としている。
（１）  接続端子が設けられたケーブルの端部を収容する収容部を有するコネクタであって、
前記ケーブルの端部は、前記収容部内に充填して固化させた弾性を有する保持材によって保持され、
前記収容部を形成する壁部には、前記ケーブルの引き出し側の縁部に、前記ケーブル側へ向かって断面視円弧状に突出したケーブル保護突起が形成されていること。
（２）  上記（１）の構成のコネクタにおいて、
前記収容部から引き出された前記ケーブルが湾曲されて配線され、前記ケーブル保護突起は、少なくとも前記収容部の壁部における前記ケーブルの湾曲側に設けられていること。
【０００８】
上記（１）の構成のコネクタでは、収容部内に充填して固化させた保持材によって収容部内に配置させたケーブルの端部を保持することができ、また、収納部内をシールして接続端子の劣化を防止することができる。
しかも、収容部を形成する壁部におけるケーブルの引き出し側の縁部に、ケーブル側へ向かって断面視円弧状に突出したケーブル保護突起が形成されているので、仮に、保持材の充填固化中にケーブルが収容部の壁部側へ引き寄せられたり、保持材が経時的に劣化してケーブルの保持状態が十分でなくなったとしても、ケーブルは、断面視円弧状に突出したケーブル保護突起に当接して保持される。したがって、収容部の壁部の縁部にケーブルが接触することによる損傷を防止することができる。これにより、コネクタが車両などに搭載され、コネクタの収容部から引き出されたケーブルが振動して動いたとしても、壁部の縁部へケーブルが接触することによる損傷を確実に防止することができる。
上記（２）の構成のコネクタでは、収容部から引き出されたケーブルが湾曲されて配線され、ケーブル保護突起が収容部の壁部におけるケーブルの湾曲側に設けられているので、ケーブルが湾曲側に引き寄せられても収容部の壁部の縁部へケーブルが接触することによる損傷を防止することができる。
【発明の効果】
【０００９】
本発明によれば、ケーブルの損傷を防止しつつケーブルの端部を保持して防水することが可能なコネクタを提供できる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態に係るコネクタの斜視図である。
【図２】本発明の実施形態に係るコネクタの分解斜視図である。
【図３】本発明の実施形態に係るコネクタの断面図である。
【図４】ワイヤーハーネスの各ケーブルが配線されたコネクタのハウジングの平面図である。
【図５】コネクタのハウジングの側面図である。
【発明を実施するための形態】
【００１２】
以下、本発明に係る実施の形態の例を、図面を参照して説明する。
【００１３】
図１は本発明の実施形態に係るコネクタの斜視図、図２は本発明の実施形態に係るコネクタの分解斜視図、図３は本発明の実施形態に係るコネクタの断面図、図４はワイヤーハーネスの各ケーブルが配線されたコネクタのハウジングの平面図、図５はコネクタのハウジングの側面図である。
【００１４】
図１から図４に示すように、本実施形態に係るコネクタ１１は、ハウジング１２と、このハウジング１２に取り付けられるカバー１３とを有しており、このコネクタ１１には、ワイヤーハーネス２１が接続される。
【００１５】
ワイヤーハーネス２１は、電線を樹脂で被覆した複数のケーブル２２を有するもので、これらケーブル２２をスリーブ２３によって束ねた部分が束部２４とされている。
【００１６】
また、このワイヤーハーネス２１の各ケーブル２２の端部には、それぞれ接続端子２５が接続されている。
【００１７】
ハウジング１２は、樹脂あるいは金属から形成されたもので、図５にも示すように、ベース部３１と、このベース部３１の上部に形成された接続部３２とを有している。
【００１８】
ベース部３１には、取付孔３３が形成されており、これらの取付孔３３へボルトを挿通し、例えば、車両のフレームなどの被取付部に締結固定することができるようになっている。
【００１９】
接続部３２は、複数の収容部３４を有している。これらの収容部３４は、図４に示すように、平面視にて左右の対向位置に複数ずつ（本実施形態では３個ずつ）形成されている。
【００２０】
収容部３４は、一端側が端子保持部３５とされ、上方側及び他端側が開放されており、開放された他端側がケーブル２２の引き出し口３４ａとされている。
【００２１】
これらの収容部３４には、ワイヤーハーネス２１のケーブル２２の端部が挿入され、それぞれのケーブル２２の端部に設けられた接続端子２５が、端子保持部３５に接続されている。
【００２２】
ワイヤーハーネス２１のケーブル２２は、ワイヤーハーネス２１の端部にて複数に分岐され、コネクタ１１に対してその両側方から収容部３４へそれぞれ配線されている。これにより、それぞれのケーブル２２は、束部２４とコネクタ１１の収容部３４との間にて湾曲されている。
【００２３】
また、各収容部３４を形成する壁部３６には、ケーブル２２の引き出し側の縁部に、ケーブル保護突起３７が形成されている。このケーブル保護突起３７は、断面円弧状に形成されたもので、ケーブル２２の湾曲側の壁部３６の縁部に形成されている。
【００２４】
また、ハウジング１２の接続部３２には、その側面に、複数の係止爪３８が形成されている。
【００２５】
ハウジング１２の上面に取り付けられるカバー１３は、樹脂あるいは金属から形成されたもので、ハウジング１２の接続部３２の上面を覆うカバー板部４１と、このカバー板部４１の両側部に形成された係止片４２とを有している。
【００２６】
カバー板部４１には、ハウジング１２との対向面に、接続部３２の各収容部３４内へ嵌合する複数の突起部４３が形成されており、これらの突起部４３によって、収容部３４内に配置されたケーブル２２の接続端子２５が押圧されて保持されている。また、カバー板部４１には、各収容部３４の縁部に対応する位置に、凹部４４が形成されている。
【００２７】
係止片４２は、それぞれ係止孔４５を有しており、ハウジング１２への取り付け方向へ突出されている。そして、これら係止片４２の係止孔４５に、ハウジング１２の接続部３２の側面に形成された係止爪３８が係止され、これにより、ハウジング１２の接続部３２にカバー１３が取り付けられる。
【００２８】
上記構造のコネクタ１１は、各収容部３４内の空間が弾性を有する保持材５１によって埋められている。
【００２９】
この保持材５１は、収容部３４内に充填剤を充填して固化させることにより形成されるものであり、ハウジング１２の収容部３４にケーブル２２の端部を収容してカバー１３を取り付けた後に、ケーブル２２の引き出し口３４ａ側にてカバー１３の凹部４４から収容部３４内に充填される。
【００３０】
この弾性を有する保持材５１によって、収容部３４内がシールされているとともに、接続端子２５が設けられたケーブル２２の端部が保持されている。
【００３１】
ここで、上記コネクタ１１は、複数の収容部３４を有し、これら収容部３４に各ケーブル２２の端部がそれぞれ収容される構造であるので、各収容部３４へ適量の充填剤を円滑に充填し、それぞれのケーブル２２を保持材５１によって良好に保持させることができる。
【００３２】
このように、上記実施形態に係るコネクタ１１によれば、各収容部３４内に充填して固化させた保持材５１によって収容部３４内に配置させたケーブル２２の端部を保持することができ、また、収容部３４内をシールして接続端子２５の劣化を防止することができる。
【００３３】
しかも、収容部３４を形成するケーブル２２の湾曲側の壁部３６におけるケーブル２２の引き出し側の縁部に、ケーブル２２側へ向かって断面視円弧状に突出したケーブル保護突起３７が形成されているので、例え、保持材５１の充填固化中にケーブル２２が収容部３４の壁部３６側へ引き寄せられたり、保持材５１が経時的に劣化してケーブル２２の保持状態が十分でなくなったとしても、ケーブル２２は、断面視円弧状に形成されたケーブル保護突起３７に当接して保持される。
【００３４】
したがって、収容部３４の壁部３６の縁部にケーブル２２が接触することによる損傷を防止することができる。これにより、コネクタ１１が車両などに搭載され、コネクタ１１の収容部３４から引き出されたケーブル２２が振動して動いたとしても、壁部３６の縁部へのケーブル２２の接触による損傷を確実に防止することができる。
【００３５】
つまり、上記のコネクタ１１によれば、ケーブル２２の端部の保持及び防水と、ケーブル２２の損傷の防止を両立させることができる。
【００３６】
また、収容部３４からのケーブル２２の引き出し方向がケーブル保護突起３７によって極力直線状に維持されるので、接続端子２５との接続箇所におけるケーブル２２への負荷を抑え、接続端子２５との接続箇所における断線などの不具合も確実に防止することができる。これにより、ケーブル２２の引き出し方向の自由度を高めることができ、ワイヤーハーネス２１の配線の容易化を図ることができる。
【００３７】
なお、本発明は、上述した実施形態に限定されるものではなく、適宜、変形、改良等が可能である。その他、上述した実施形態における各構成要素の材質、形状、寸法、数値、形態、数、配置箇所等は本発明を達成できるものであれば任意であり、限定されない。
【符号の説明】
【００３８】
１１  コネクタ
２２  ケーブル
２５  接続端子
３４  収容部
３６  壁部
３７  ケーブル保護突起
５１  保持材
【図１】
0005424484.tif 000002
【図２】
0005424484.tif 000003
【図３】
0005424484.tif 000004
【図４】
0005424484.tif 000005
【図５】
0005424484.tif 000006